(57)【要約】【課題】リモコン送信機として携帯電話等の携帯端末を使用し、照明器具の点灯に関する設定を簡単に行うことができる照明システムを提供する。【解決手段】ネットワーク上のＷｅｂサーバ４のデータベース５に照明器具操作用のアプリケーションを格納し、リモコン送信機としての携帯端末３が、Ｗｅｂサーバ４のデータベース５に格納されている照明器具操作用のアプリケーションをＷｅｂサーバ４からダウンロードする。そして、ダウンロードした照明器具操作用のアプリケーションに従って設定用の信号を発信し、その信号を照明器具２が受信することで点灯に関する設定を行う。これにより、照明器具２の点灯に関する設定を簡単に行うことが可能となる。【選択図】図１
2011029053.tif 000002
【特許請求の範囲】
【請求項１】
サーバから照明器具操作用のアプリケーションをネットワーク経由で予めダウンロードしておき、前記アプリケーションを起動し操作部を操作することで、設定用の信号を発信する携帯端末と、
前記携帯端末からの設定用の信号を受信し、該信号に基づき点灯に関する設定が行われる照明器具と、
を備えた照明システム。
【請求項２】
前記照明器具は、照明用の光源により前記携帯端末からの設定用の信号の受信を報知する請求項１に記載の照明システム。
【請求項３】
前記照明器具は、前記照明器具の設定状態を示す信号を前記携帯端末へ送信する請求項１又は請求項２に記載の照明システム。
【発明の詳細な説明】
【技術分野】
【０００１】
本発明は、照明器具と、リモコン送信機として携帯電話等の携帯端末とを備えた照明システムに関する。
【背景技術】
【０００２】
照明器具をリモコンで操作して使用できるようにするには、照明器具を操作できるリモコン送信機を照明器具側（製造メーカ側）で用意して、照明器具に同梱、もしくは別途販売することで可能となる。しかしながら、リモコン送信機を用意することで、その分、費用が発生するため、照明器具の価格上昇の要因となる。この問題を解決するものとして、例えば特許文献１に記載された照明制御システムが知られている。この照明制御システムでは、携帯電話等の携帯端末をリモコン送信機として用いるため、専用のリモコン送信機を用いない分、照明器具の価格低減が図れる。
【０００３】
この特許文献１に記載された照明制御システムは、調光データを作成するとともに、携帯端末と双方向通信を可能とするデータ作成装置を有する。データ作成装置は、少なくとも照明器具に関するデータ、照明器具が設置されている空間のデータ、前記空間に存在する人に関するデータがユーザ側から与えられることで、これらのデータに応じて調光データを作成するために必要な基本データを演算処理し、各ユーザに個別に適応した調光データを作成する。携帯端末は、ネットワークを介してデータ作成装置にアクセスして、携帯端末のユーザが入力したデータをデータ作成装置に送信し、その後、データ作成装置で作成された調光データをダウンロードする。そして、ダウンロードした調光データを用いて照明器具を制御する。なお、データ作成装置は主に照明器具の販売者側に設置される。
【先行技術文献】
【特許文献】
【０００４】
【特許文献１】特開２００５−２１６５３４号公報
【発明の概要】
【発明が解決しようとする課題】
【０００５】
しかしながら、上述した特許文献１で開示された照明制御システムでは、携帯電話等の携帯端末をリモコン送信機として用いているものの、その携帯端末を操作して入力したデータをデータ作成装置に送信し、その入力データに基づき、データ作成装置側で調光データの計算を行い、この計算により得られた調光データを携帯端末に送信して、照明器具を制御するようにしており、データの送受信が煩雑であるという課題があった。
【０００６】
本発明は、係る事情に鑑みてなされたものであり、リモコン送信機として携帯電話等の携帯端末を使用し、照明器具の点灯に関する設定を簡単に行うことができる照明システムを提供することを目的とする。
【課題を解決するための手段】
【０００７】
本発明の照明システムは、サーバから照明器具操作用のアプリケーションをネットワーク経由で予めダウンロードしておき、前記アプリケーションを起動し操作部を操作することで、設定用の信号を発信する携帯端末と、前記携帯端末からの設定用の信号を受信し、該信号に基づき点灯に関する設定が行われる照明器具と、を備えた。
【０００８】
上記構成によれば、ネットワーク上のサーバに照明器具操作用のアプリケーションが格納されており、リモコン送信機としての携帯端末が、このサーバに格納されている照明器具操作用のアプリケーションをダウンロードし、それに従って設定用の信号を発信し、照明器具が、携帯端末から発信された設定用の信号を受信して、該信号に基づき点灯に関する設定を行うので、照明器具の点灯に関する設定を簡単に行うことができる。
【０００９】
また、上記構成において、前記照明器具は、照明用の光源により前記携帯端末からの設定用の信号の受信を報知する。
【００１０】
上記構成によれば、照明器具に設定用の信号が正常に送られたことを確認することができる。
【００１１】
また、上記構成において、前記照明器具は、前記照明器具の設定状態を示す信号を前記携帯端末へ送信する。
【００１２】
上記構成によれば、照明器具の現在の設定状態を確認することができる。
【発明の効果】
【００１３】
本発明は、照明器具の点灯に関する設定を簡単に行うことができる。
【図面の簡単な説明】
【００１４】
【図１】本発明の一実施の形態に係る照明システムのシステム構成を示す図
【図２】図１の照明システムの照明器具の概略構成を示すブロック図
【図３】図１の照明システムの照明器具のセンサ制御部によるランプの点灯制御の一例を表した図
【図４】図１の照明システムの携帯端末の概略構成を示すブロック図
【図５】図１の照明システムの携帯端末において照明器具操作用のアプリケーション実行時の初期画面を示す図
【図６】図１の照明システムの携帯端末において照明器具操作用のアプリケーション実行時の設定画面を示す図
【図７】図１の照明システムの携帯端末において照明器具操作用のアプリケーション実行時の設定確認画面を示す図
【図８】図１の照明システムにおける照明器具操作用のアプリケーションの配信処理を示すシーケンス図
【図９】図１の照明システムにおける携帯端末のアプリケーション実行時の動作を示すフローチャート
【図１０】図１の照明システムにおける照明器具の動作を示すフローチャート
【発明を実施するための形態】
【００１５】
以下、本発明を実施するための好適な実施の形態について、図面を参照して詳細に説明する。
【００１６】
図１は、本発明の一実施の形態に係る照明システムのシステム構成を示す図である。同図において、本実施の形態の照明システム１は、それぞれ調光制御可能な１又は複数の照明器具２（図１では１つで示す）と、照明器具２を制御可能な携帯端末３と、メーカ、販売会社又はそれらから別途設立されたデータ作成会社等の照明器具２の販売者側に設置されたＷｅｂサーバ４と、Ｗｅｂサーバ４に接続され、照明器具操作用のアプリケーションを複数種類記憶したデータベース５と、携帯端末３とＷｅｂサーバ４とを相互に接続するインターネット６及び移動体通信網７とを備えて構成されている。以下、照明器具２、携帯端末３、Ｗｅｂサーバ４の順で、それぞれを詳細に説明する。
【００１７】
図２は、照明器具２の概略構成を示すブロック図である。同図において、照明器具２は、焦電センサ２１、明るさセンサ２２、赤外線受光部２３、赤外線送光部２４、センサ検知部２５、センサ制御部２６、記憶部２７、時計部２８及びランプ（光源）２９を有している。焦電センサ２１は、人体等物体から輻射される赤外線を検知する。生体が焦電センサ２１の視野内で動くと赤外線エネルギー量の分布が変化し、これを焦電センサ２１が検出する。明るさセンサ２２は、周囲の明るさを検知し、光量に応じたレベルの信号を出力する。明るさセンサ２２には、フォトトランジスタやフォトダイオード等が用いられる。赤外線受光部２３は、ＣｄＳ（硫化カドニウム）セル等の赤外線受光素子を有し、赤外線を利用して送信された信号を受信し、電気信号に変換して出力する。赤外線送光部２４は、赤外線ダイオード等の赤外線発光素子を有し、電気信号を赤外線に変換して送信する。
【００１８】
センサ検知部２５は、焦電センサ２１、明るさセンサ２２及び赤外線受光部２３それぞれから出力される信号を取り込み、センサ制御部２６に出力する。また、センサ検知部２５は、センサ制御部２６からの設定情報を電気信号に変換して赤外線送光部２４に出力する。センサ制御部２６は、センサ検知部２５からの赤外線コードの信号を受けて、ランプ２９の点灯に関する設定を行う。この際、センサ制御部２６は時計部２８からの時間情報も用いる。
【００１９】
図３は、センサ制御部２６によるランプ２９の点灯制御の一例を表したものである。
（ａ）  周囲が明るいうちはランプ２９を消灯状態とし、夕方、予め設定されている明るさより周囲が暗くなると、ランプ２９を約２０％のほんのり点灯の状態にする。
（ｂ）  ランプ２９を約２０％のほんのり点灯の状態にしている間に、人１００を検知すると、ランプ２９を１００％の明るさの点灯状態にする。
（ｃ）  その後、人１００がいなくなると、再び約２０％のほんのり点灯の状態にする。
【００２０】
（ｄ）  深夜、予め設定されている時間になると、ランプ２９を消灯状態にする。
（ｅ）  （ｄ）の状態にしているときに人１００を検知すると、ランプ２９を１００％の明るさの点灯状態にする。
（ｆ）  （ｅ）の状態、即ち人１００を検知してランプ２９を１００％の明るさの点灯状態で、その状態が予め設定されている時間以上継続すると、ランプ２９を１０秒間フラッシュ状態にする。
（ｇ）  （ｅ）の状態又は（ｆ）の状態から人１００がいなくなると、点灯保持時間後、ランプ２９を消灯状態にする。
（ｈ）  （ｇ）の状態にしているときは、人１００が近づいてもランプ２９を点灯状態にしない。
【００２１】
上記（ａ）〜（ｈ）の点灯動作を、ユーザに合わせて使用できるように、以下の設定項目が設けられている。
（１）「ランプ２９を点灯する周囲の明るさ」
昼間の動作から夜間の動作へ切り替わる明るさの設定
（２）「お出迎え時間」
夕方、自動点灯し始めてから、何時間後に自動消灯させるかの時間設定
（３）「フラッシュ開始時間」
人を何秒間検知し続けると、ランプ２９をフラッシュさせるかの時間設定
【００２２】
センサ制御部２６は、上記（１）〜（３）の設定を、携帯端末３から送信される赤外線コードの信号を受信する毎に設定変更を行う。この場合、携帯端末３から送信される赤外線コードの信号を、センサ検知部２５に設けられた赤外線受光部２３で受信する。また、携帯端末３からの赤外線コードを正常に受信できた場合、正常に受信したことを報知するため、ランプ２９を点滅させる。また、センサ制御部２６は、上記（１）〜（３）の設定を行う毎にその設定内容を記憶部２７に記憶する。また、携帯端末３から、上記（１）〜（３）の設定を確認する要求があると、記憶部２７に記憶した設定内容を読み出して、センサ検知部２５に設けられた赤外線送光部２４から送信する。
【００２３】
記憶部２７には、不揮発性を有し、データ書換え可能なＲＡＭやフラッシュメモリ、ＥＰＲＯＭ、ＥＥＰＲＯＭなどが好適である。また、ランプ２９として、白熱球、電球型蛍光灯又はＬＥＤ（発光ダイオード）が用いられる。
【００２４】
図４は、携帯端末３の概略構成を示すブロック図である。同図において、携帯端末３は、アンテナ３０、通信部３１、アプリ記憶部３２、制御部３３、操作部であるユーザ情報入力部３４、表示部３５、赤外線受光部３６及び赤外線送光部３６を有している。通信部３１は、通常の携帯電話機としての電話機能の他に、インターネットやイントラネットに接続して通信を行うネット通信機能を有している。ネット通信機能では、ＴＣＰ／ＩＰ（Transmission Control Protocol/Internet Protocol）を用いてインターネット６に接続する。
【００２５】
アプリ記憶部３２は、通信部３１がＷｅｂサーバ４からダウンロードした照明器具操作用のアプリケーションを記憶する。アプリ記憶部３２には、不揮発性を有し、データ書換え可能なＲＡＭやフラッシュメモリ、ＥＰＲＯＭ、ＥＥＰＲＯＭなどが好適である。制御部３３は、携帯端末３を構成する各部を制御する。制御部３３は、ユーザ情報入力部３４から照明器具操作用のアプリケーションをダウンロードする指示があると、通信部３１を制御して、Ｗｅｂサーバ４から照明器具操作用のアプリケーションをダウンロードして、アプリ記憶部３２に記憶させる。この場合、通信部３１は、移動体通信網７及びインターネット６を介してＷｅｂサーバ４にアクセスし、データベース５に記憶されている照明器具操作用のアプリケーションをダウンロードする。制御部３３は、ダウンロードした照明器具操作用のアプリケーションを起動させて、照明器具２の点灯に関する設定を行う。
【００２６】
照明器具操作用のアプリケーションを起動すると、携帯端末３の表示部３５には、図５に示すような、ユーザインタフェイスの初期画面が表示される。この初期画面には、少なくとも設定ボタン２００、設定確認ボタン２０１、終了ボタン２０２が表示される。設定ボタン２００を選択した場合は、図６に示すような、ユーザインタフェイスの設定画面が表示される。この設定画面には、“点灯する周囲の明るさ”、“お出迎え時間”及び“フラッシュ開始時間”の各メッセージ３００〜３０２が表示されるとともに、各メッセージ３００〜３０２に対応する設定値を入力する入力ボタン３０３〜３０５が表示される。また、各設定値を送信するための送信ボタン３０６と初期画面に戻るための戻るボタン３０７も同時に表示される。ユーザは、ユーザ情報入力部３４から、“点灯する周囲の明るさ”、“お出迎え時間”及び“フラッシュ開始時間”の照明器具２の点灯に関する設定を行うための各値を入力する。図６に示す状態では、各設定値が、“点灯する周囲の明るさ”が「５ｌｕｘ（ルクス）」、“お出迎え時間”が「６時間」、“フラッシュ開始時間”が「すぐ」となっている。照明器具２の点灯に関する設定を行うための各値を入力した後、送信ボタン３０６を押すことで、各値が赤外線コードに変換されて、赤外線送光部３７から送信される。なお、設定画面から初期画面に戻るには、戻るボタン３０７を押す。
【００２７】
一方、図５に示す初期画面で、設定確認ボタン２０１を選択した場合は、図７に示すような、ユーザインタフェイスの設定確認画面が表示される。そして、設定確認ボタン２０１を選択することで、照明器具２の現在の設定状態を確認するための赤外線コードが生成されて赤外線送光部３７から送信される。設定状態を確認するための赤外線コードの送信を行ったときから設定状態を受信できるまでの間は、図７の（ａ）に示すように、“点灯する周囲の明るさ”、“お出迎え時間”及び“フラッシュ開始時間”の各メッセージ４００〜４０２に対して「***」が表示される。設定状態を確認するための赤外線コードの送信によって、照明器具２から赤外線コードに変換された現在の設定状態が送信されてくると、赤外線受光部３６にて受信される。そして、受信された赤外線コードから設定内容が復元されて、図７の（ｂ）に示すように、“点灯する周囲の明るさ”、“お出迎え時間”及び“フラッシュ開始時間”の各メッセージ４００〜４０２に対して現在の設定値が表示される。図７の（ｂ）では、“点灯する周囲の明るさ”が「５ｌｕｘ」、“お出迎え時間”が「６時間」、“フラッシュ開始時間”が「すぐ」が表示される。なお、設定確認画面から初期画面に戻るには、戻るボタン４０３を押す。
【００２８】
赤外線受光部３６は、ＣｄＳ（硫化カドニウム）セル等の赤外線受光素子を有し、赤外線を利用して送信された信号を受信し、電気信号に変換して出力する。赤外線送光部３７は、赤外線ダイオード等の赤外線発光素子を有し、電気信号を赤外線に変換して送信する。
【００２９】
図１に戻り、Ｗｅｂサーバ４は、ネットワーク制御機能を有するコンピュータであり、図示せぬＣＰＵ、前記ＣＰＵを制御するプログラムを記憶したプログラムメモリと、前記ＣＰＵの動作において使用されるワークメモリと、前記ＣＰＵによって制御される通信部とを有している。Ｗｅｂサーバ４は、インターネット６と移動体通信網７を介して携帯端末３と双方向通信を行う。そして、携帯端末３から照明器具操作用のアプリケーションをダウンロードする要求があると、データベース５を参照して、照明器具操作用のアプリケーションをダウンロード可能にする。携帯端末３は、移動体通信網７とインターネット６を介してＷｅｂサーバ４にアクセスして、データベース５に記憶されている照明器具操作用のアプリケーションをダウンロードする。
【００３０】
次に、本実施の形態に係る照明システム１の動作について、図を用いて説明する。
図８は、照明システム１における照明器具操作用のアプリケーションの配信処理を示すシーケンス図である。同図において、携帯端末３とＷｅｂサーバ４との間で接続が確立した後、携帯端末３がトップページにアクセスする（Ｓ１）。Ｗｅｂサーバ４は、携帯端末３のトップページへのアクセスに応じてトップページを作成し、それを携帯端末３へ送信する（Ｓ２）。なお、トップページの作成において、ＨＴＭＬ（Hyper Text Markup Language）言語等のＷｅｂページで使用可能な言語が用いられる。
【００３１】
携帯端末３は、Ｗｅｂサーバ４から送信されたトップページを受信すると、表示部３５にトップページを表示する（Ｓ３）。このトップページには、照明器具操作用のアプリケーションのファイル名が表示される。携帯端末３のユーザが、アプリケーションを選択する操作を行うことで、アプリケーションのダウンロード要求をＷｅｂサーバ４へ送信する（Ｓ４）。Ｗｅｂサーバ４は、携帯端末３からアプリケーションのダウンロード要求があると、アプリケーションリストを作成し、それを携帯端末３へ送信する（Ｓ５）。携帯端末３は、Ｗｅｂサーバ４からのアプリケーションリストを受信すると、それを表示部３５に表示する。ユーザは、表示部３５に表示されたアプリケーションリストを見て、所望のもの（照明器具２専用のアプリケーション）を選択する（Ｓ６）。この選択操作により、Ｗｅｂサーバ４は、選択されたアプリケーションを配信しても良いかどうかを確認する情報を携帯端末３へ送信する（Ｓ７）。
【００３２】
携帯端末３は、Ｗｅｂサーバ４からの配信確認情報を受信すると、表示部３５に配信の可否を確認する画面を表示する。ユーザは、この画面を見てＯＫであれば「ＯＫ」を入力し、ＮＧであれば「ＮＧ」を入力する（Ｓ８）。Ｗｅｂサーバ４は、携帯端末３から「ＯＫ」を受信すると、ダウンロードを開始する（Ｓ９）。また、Ｗｅｂサーバ４は、携帯端末３から「ＮＧ」を受信すると、ダウンロードを開始せず、再びアプリケーションリストを作成して、携帯端末３へ送信する。
【００３３】
図９は、照明システム１における携帯端末３のアプリケーション実行時の動作を示すフローチャートである。同図において、まず、Ｗｅｂサーバ４からダウンロードしたアプリケーションを起動する（Ｓ２０）。アプリケーションの起動後、図５に示す初期画面を表示する。初期画面を表示した状態で、入力が有るかどうか判定する（Ｓ２１）。即ち、設定ボタン２００又は設定確認ボタン２０１が操作されたどうか判定する。入力が無い場合は終了ボタン２０２が操作されたかどうか判定し（Ｓ２２）、終了ボタン２０２が操作されなければＳ２１に戻り、操作されれば本処理を終了する（Ｓ２３）。
【００３４】
上記Ｓ２１の判定において、入力がある場合、その入力が設定かどうか判定する（Ｓ２４）。即ち、設定ボタン２００が操作されたどうか判定する。入力が設定である場合は、図６に示す設定画面を表示し、設定値の取り込みを行う（Ｓ２５）。ユーザは、設定画面を見て、“点灯する周囲の明るさ”、“お出迎え時間”及び“フラッシュ開始時間”の各設定値の入力を行う。
【００３５】
そして、設定値の取り込みを終えたかどうか判定し（Ｓ２６）、設定値の取り込みを終えない場合、即ち、ユーザによる各設定値の入力が終わっていない場合は、戻るボタン３０７が操作されたかどうか判定する（Ｓ２７）。戻るボタン３０７が操作されていなければＳ２５に戻り、戻るボタン３０７が操作されれば初期画面に戻る（Ｓ３１）。
【００３６】
設定値の取り込みを終えた場合、即ち、ユーザによる各設定値の入力が終了した場合、送信ボタン３０６が操作されたかどうか判定する（Ｓ２８）。送信ボタン３０６が操作されていなければＳ２５に戻り、送信ボタン３０６が操作されれば、入力された設定値を赤外線コードに変換して照明器具２へ送信する（Ｓ２９）。設定値を送信した後、初期画面に戻る（Ｓ３０）。
【００３７】
一方、上記Ｓ２４の判定において、入力が設定でなければ、“点灯する周囲の明るさ”、“お出迎え時間”及び“フラッシュ開始時間”の現在の設定状態の確認かどうかを判定する（Ｓ３２）。現在の設定状態の確認である場合、設定値確認要求を赤外線コードに変換して照明器具２へ送信する（Ｓ３３）。設定値確認要求を送信した後、現在の設定状態を受信できたかどうか判定し（Ｓ３４）、現在の設定状態を受信できない場合は、それを受信できるまでこのＳ３４の判定を繰り返し、現在の設定状態を受信できた場合は、図７の（ｂ）に示すように、“点灯する周囲の明るさ”、“お出迎え時間”及び“フラッシュ開始時間”それぞれに対応する現在の設定値を表示する（Ｓ３５）。
【００３８】
次いで、戻るボタン４０３が操作されたかどうか判定し（Ｓ３６）、戻るボタン４０３が操作されていなければ、操作されるまでＳ３６の判定を繰り返し、戻るボタン４０３が操作されれば、初期画面に戻る（Ｓ３７）。上記Ｓ３２の判定で、現在の設定状態の確認でなければ、終了ボタン２０２が操作されたかどうか判定し（Ｓ３８）、終了ボタン２０２が操作されていなければＳ２４に戻り、終了ボタン２０２が操作されれば、本処理を終了する（Ｓ３９）。
【００３９】
図１０は、照明システム１における照明器具２の動作を示すフローチャートである。同図において、まず、信号の入力があるかどうか判定し（Ｓ５０）、信号入力がなければ他の処理を行い（Ｓ５１）、その後、再びＳ５０の判定に戻る。ここで、他の処理とは、図３に示す（ａ）〜（ｈ）の点灯動作である。
【００４０】
Ｓ５０の判定で、信号入力がある場合、それが設定値であるかどうか判定する（Ｓ５２）。入力された信号が設定値であれば、それを正常に受信できたかどうか判定する（Ｓ５３）。正常に受信できなかった場合はＳ５０に戻り、正常に受信できた場合はランプ２９を所定時間点滅させて（Ｓ５４）、ユーザに設定値の受信が正常に行えたことを知らせる。その後、記憶部２７に記憶されている“点灯する周囲の明るさ”、“お出迎え時間”及び“フラッシュ開始時間”の各設定値を、今受信した設定値に更新する（Ｓ５５）。
【００４１】
上記Ｓ５２の判定で、入力された信号が設定値でなければ、設定値確認要求であるかどうか判定し（Ｓ５６）、設定値確認要求であれば、記憶部２７に記憶されている“点灯する周囲の明るさ”、“お出迎え時間”及び“フラッシュ開始時間”の各設定値を赤外線コードに変換して携帯端末３へ送信する（Ｓ５７）。これに対して、入力された信号が設定値確認要求でなければ、何も処理をせずそのままＳ５０に戻る。
【００４２】
このように本実施の形態の照明システム１によれば、ネットワーク上のＷｅｂサーバ４のデータベース５に照明器具操作用のアプリケーションを格納し、リモコン送信機としての携帯端末３が、Ｗｅｂサーバ４のデータベース５に格納されている照明器具操作用のアプリケーションをＷｅｂサーバ４からダウンロードする。そして、ダウンロードした照明器具操作用のアプリケーションに従って設定用の信号を発信し、その信号を照明器具２が受信することで点灯に関する設定を行うので、照明器具２の点灯に関する設定を簡単に行うことができる。即ち、携帯端末３が、一度、Ｗｅｂサーバ４から照明器具操作用のアプリケーションを取得するだけで、携帯端末３側で照明器具２の点灯に関する設定を簡単に行うことができる。
【００４３】
また、照明器具２が、照明用のランプ２９により携帯端末３からの設定用の信号を受信したことを点滅により報知するので、ユーザは、照明器具２に設定用の信号が正常に送られたことを確認することができる。
【００４４】
また、照明器具２が、照明器具の設定状態を示す信号を携帯端末３へ送信するので、ユーザは、照明器具２の現在の設定状態を確認することができる。
【００４５】
なお、上記実施の形態では、携帯端末３と照明器具２との通信に赤外線を用いたが、赤外線データ通信の規格（ＩｒＤＡ）、ＲＦ（Radio Frequency）、Bluetooth（登録商標）、無線ＬＡＮの規格（ＩＥＥＥ８０２．１１）なども考えられる。
【符号の説明】
【００４６】
１  照明システム
２  照明器具
３  携帯端末
４  Ｗｅｂサーバ
５  データベース
６  インターネット
７  移動体通信網
２１  焦電センサ
２２  明るさセンサ
２３  赤外線受光部
２４  赤外線送光部
２５  センサ検知部
２６  センサ制御部
２７  記憶部
２８  時計部
２９  ランプ
３０  アンテナ
３１  通信部
３２  アプリ記憶部
３３  制御部
３４  ユーザ情報入力部
３５  表示部
３６  赤外線受光部
３７  赤外線送光部
【図１】
2011029053.tif 000003
【図２】
2011029053.tif 000004
【図３】
2011029053.tif 000005
【図４】
2011029053.tif 000006
【図５】
2011029053.tif 000007
【図６】
2011029053.tif 000008
【図７】
2011029053.tif 000009
【図８】
2011029053.tif 000010
【図９】
2011029053.tif 000011
【図１０】
2011029053.tif 000012